(57)【要約】【課題】擦過部材を備えた筆記具用キャップであって、擦過部材の取付構造が簡易であるとともに、幼児等が誤って飲み込んでも十分な通気通路を確保でき、しかも、キャップ本体から外れた擦過部材を飲み込んでも空気通路を確保する。【解決手段】筆記具用キャップ１は、弾性材料よりなる擦過部材２と、該擦過部材２が前端部に取り付けられ且つ後端部に筆記具本体が着脱可能な開口部を備える。擦過部材２の内部に軸方向に延びる貫通孔２１を形成する。貫通孔２１とキャップ本体３内部との間を空気流通可能に連通する。擦過部材２の外周面が圧入保持される取付孔３１を設ける。取付孔３１の底部に係止壁部３２を設ける。係止壁部３２が、擦過部材２の貫通孔２１の後端開口部を塞がないように擦過部材２の後端を当接支持する。【選択図】  図１
2006123337.tif 000002
【特許請求の範囲】
【請求項１】
弾性材料よりなる擦過部材と、該擦過部材が前端部に取り付けられ且つ後端部に筆記具本体が着脱可能な開口部を備えた筆記具用キャップであって、前記擦過部材の内部に軸方向に延びる貫通孔を形成し、前記貫通孔とキャップ本体内部との間を空気流通可能に連通したことを特徴とする筆記具用キャップ。
【請求項２】
前記キャップ本体の前端部に、擦過部材の外周面が圧入保持される取付孔を設け、前記取付孔の底部に係止壁部を設け、前記係止壁部が、前記擦過部材の貫通孔の後端開口部を塞がないように擦過部材の後端を当接支持してなる請求項１記載の筆記具用キャップ。
【請求項３】
前記係止壁部が軸心に通気孔を備え、前記通気孔の内径が擦過部材の貫通孔の内径より大きく設定された請求項２記載の筆記具用キャップ。
【請求項４】
前記係止壁部の後方のキャップ本体の内周面に複数本の軸方向に延びるリブを形成し、前記リブが弾性材料よりなるペン先シール部材の外周面を圧接保持するとともに、前記ペン先シール部材が係止壁部の通気孔を塞がないよう、前記ペン先シール部材の前面と前記係止壁部の後面とを前後に離して非接触状態に配置し、前記リブ相互間、及び前記ペン先シール部材の前面と前記係止壁部の後面との間を介して、キャップ本体の後端開口部と貫通孔とを空気流通可能に連通させた請求項３記載の筆記具用キャップ。
【発明の詳細な説明】
【技術分野】
【０００１】
本発明は、筆記具用キャップに関する。詳細には、キャップ本体の前端部に弾性材料よりなる擦過部材（例えば、消しゴム、摩擦変色具等）を備えた筆記具用キャップに関する。
【背景技術】
【０００２】
従来、特許文献１には、キャップ本体の前端部に消しゴムを備えた筆記具用キャップにおいて、幼児等が誤って飲み込んでも呼吸が可能なよう、消しゴム外面とキャップ本体内面との間に空気通路を形成する構造が開示されている。
【０００３】
前記特許文献１の筆記具用キャップにおいて、前記空気通路を形成するために、消しゴムの取付孔の内面にリブを形成したり、消しゴムの外面にリブを形成する手段が採用されている。そのため、消しゴム取付部の構造が複雑となり、製造コストが上昇する。しかも、消しゴム外面と取付孔の内面との隙間を空気通路として利用する構造であるため、十分な空気通路を得ることが困難である。
【０００４】
【特許文献１】特表２００１−５０４７６４号
【発明の開示】
【発明が解決しようとする課題】
【０００５】
本発明は前記従来の問題点を解決するものであり、擦過部材を備えた筆記具用キャップであって、擦過部材の取付構造が簡易であるとともに、幼児等が誤って飲み込んでも十分な通気通路を確保でき、しかも、キャップ本体から外れた擦過部材を飲み込んでも空気通路を確保できる筆記具用キャップを提供しようとするものである。
【課題を解決するための手段】
【０００６】
本発明は、以下を要件とする。
【０００７】
（請求項１）
弾性材料よりなる擦過部材と、該擦過部材が前端部に取り付けられ且つ後端部に筆記具本体が着脱可能な開口部を備えた筆記具用キャップであって、前記擦過部材の内部に軸方向に延びる貫通孔を形成し、前記貫通孔とキャップ本体内部との間を空気流通可能に連通したことを特徴とする筆記具用キャップ。
【０００８】
（請求項２）
前記キャップ本体の前端部に、擦過部材の外周面が圧入保持される取付孔を設け、前記取付孔の底部に係止壁部を設け、前記係止壁部が、前記擦過部材の貫通孔の後端開口部を塞がないように擦過部材の後端を当接支持してなる請求項１記載の筆記具用キャップ。
【０００９】
（請求項３）
前記係止壁部が軸心に通気孔を備え、前記通気孔の内径が擦過部材の貫通孔の内径より大きく設定された請求項２記載の筆記具用キャップ。
【００１０】
（請求項４）
前記係止壁部の後方のキャップ本体の内周面に複数本の軸方向に延びるリブを形成し、前記リブが弾性材料よりなるペン先シール部材の外周面を圧接保持するとともに、前記ペン先シール部材が係止壁部の通気孔を塞がないよう、前記ペン先シール部材の前面と前記係止壁部の後面とを前後に離して非接触状態に配置し、前記リブ相互間、及び前記ペン先シール部材の前面と前記係止壁部の後面との間を介して、キャップ本体の後端開口部と貫通孔とを空気流通可能に連通させた請求項３記載の筆記具用キャップ。
【発明の効果】
【００１１】
請求項１により、擦過部材の取付構造を簡易にでき、製造コストの上昇を抑えることが可能となる。また、幼児等が誤って飲み込んでも十分な空気通路を確保できる。さらに、キャップ本体から外れた擦過部材を飲み込んでも、十分な空気通路を確保できる。
【００１２】
請求項２により、キャップ本体の内部と擦過部材の貫通孔とが確実に連通され、より一層、十分な空気通路を確保できる。
【００１３】
請求項３により、係止壁部が貫通孔を塞ぐことを確実に回避できる。
【００１４】
請求項４により、ペン先シール部材を備えたとしても、十分な空気通路を確保できる。
【発明を実施するための最良の形態】
【００１５】
本発明を実施するための最良の形態を説明する。
【００１６】
〔１〕本発明は、弾性材料よりなる擦過部材２と、該擦過部材２が前端部に取り付けられ且つ後端部に筆記具本体が着脱可能な開口部を備えた筆記具用キャップ１であって、前記擦過部材２の内部に軸方向に延びる貫通孔２１を形成し、前記貫通孔２１とキャップ本体３内部との間を空気流通可能に連通したこと（請求項１）を要件とする。
【００１７】
前記筆記具用キャップ１（請求項１）は、擦過部材２の内部に貫通孔２１を設けたことにより、擦過部材２の取付構造を簡易にでき、製造コストの上昇を抑えることが可能となる。また、貫通孔２１とキャップ本体３内部との間を空気流通可能に連通したことにより、幼児等が誤って飲み込んでも十分な空気通路を確保できる。さらに、擦過部材２の内部に貫通孔２１を設けたことにより、キャップ本体３から外れた擦過部材２を飲み込んでも、十分な空気通路を確保できる。
【００１８】
〔２〕前記筆記具用キャップ１（請求項１）において、前記キャップ本体３の前端部に、擦過部材２の外周面が圧入保持される取付孔３１を設け、前記取付孔３１の底部に係止壁部３２を設け、前記係止壁部３２が、前記擦過部材２の貫通孔２１の後端開口部３４を塞がないように擦過部材２の後端を当接支持してなること（請求項２）が好ましい。それにより、キャップ本体３の内部と擦過部材２の貫通孔２１とが確実に連通され、より一層、十分な空気通路を確保できる。
【００１９】
〔３〕前記筆記具用キャップ１（請求項２）において、前記係止壁部３２が軸心に通気孔３２ａを備え、前記通気孔３２ａの内径が擦過部材２の貫通孔２１の内径より大きく設定されたこと（請求項３）が好ましい。それにより、係止壁部３２が貫通孔２１を塞ぐことを確実に回避できる。
【００２０】
〔４〕前記筆記具用キャップ１（請求項３）において、前記係止壁部３２の後方のキャップ本体３の内周面に複数本の軸方向に延びるリブ３３を形成し、前記リブ３３が弾性材料よりなるペン先シール部材４の外周面を圧接保持するとともに、前記ペン先シール部材４が係止壁部３２の通気孔３２ａを塞がないよう、前記ペン先シール部材４の前面と前記係止壁部３２の後面とを前後に離して非接触状態に配置し、前記リブ３３相互間、及び前記ペン先シール部材４の前面と前記係止壁部３２の後面との間を介して、キャップ本体３の後端開口部３４と貫通孔２１とを空気流通可能に連通させたこと（請求項４）が好ましい。
【００２１】
前記筆記具用キャップ１（請求項４）は、リブ３３相互間、及び前記ペン先シール部材４の前面と前記係止壁部３２の後面との間を介して、キャップ本体３の後端開口部３４から貫通孔２１までの空気通路を形成をする。それにより、ペン先シール部材４を備えたとしても、十分な空気通路を確保できる。
【実施例】
【００２２】
図１乃至図５に本発明の実施例を示す。
本実施例の筆記具用キャップ１は、キャップ本体３と、該キャップ本体３の前端部に取り付けられる擦過部材２と、該擦過部材２の後方のキャップ本体３内に取り付けられるペン先シール部材４とからなる。
【００２３】
前記擦過部材２は、弾性材料より形成される円筒体である。前記擦過部材２は、前端面が曲面状に丸められ、後端面が軸線に対して垂直面に形成される。前記擦過部材２の軸心には、貫通孔２１が軸方向に設けられる。本実施例の擦過部材２は、熱変色性筆跡を摩擦熱により変色させる変色具であってもいし、筆跡を除去する消しゴムであってもよい。
【００２４】
前記キャップ本体３は、合成樹脂の射出成形により得られる円筒体である。前記キャップ本体３の外面にはクリップ３５が一体に形成される。
【００２５】
前記キャップ本体３の前端部に取付孔３１が形成される。前記取付孔３１の内周面には擦過部材２の外周面が圧入固着される。前記擦過部材２の圧入時の円滑な挿入性を得るため、取付孔３１の内面に、僅かな径方向突出量を有する軸方向に延びるリブを形成してもよい。
【００２６】
前記取付孔３１の底壁には、径方向内方に環状に突出する係止壁部３２が一体に形成される。前記係止壁部３２の前面には、前記擦過部材２を取付孔３１内に圧入した際、前記擦過部材２の後端面が当接される。前記係止壁部３２の軸心には、通気孔３２ａが軸方向に貫設される。前記通気孔３２ａの内径は、前記擦過部材２の貫通孔２１の後端部内径より大きく設定される。それにより、係止壁部３２に擦過部材２の後端面が当接しても、擦過部材２の貫通孔２１の後端開口部３４を係止壁部３２が塞いだり、貫通孔２１の空気流通を妨げることがない。
【００２７】
前記係止壁部３２の後面より後方のキャップ本体３の内面には、複数本（具体的には８本）の軸方向に延びるリブ３３が一体に連設される。前記リブ３３には、弾性材料よりなるペン先シール部材４の外面が圧入保持される。前記各々のリブ３３の中間部には、段部３３ａが形成され、該段部３３ａにペン先シール部材４の前面が当接される。それにより、ペン先シール部材４の前面と係止壁部３２の後面とが前後に離れて非接触状態で配置される。その結果、係止壁部３２の通気孔３２ａを、ペン先シール部材４が塞ぐおそれがない。尚、前記ペン先シール部材４は、筆記具本体のペン先側にキャップが装着された際、ボールペンチップ等のペン先の先端と密接し、ペン先の先端を密封するものである。
【図面の簡単な説明】
【００２８】
【図１】本発明の実施例の縦断面図である。
【図２】図１のＡ−Ａ線断面図である。
【図３】図１のＢ−Ｂ線断面図である。
【図４】図１のＣ−Ｃ線断面図である。
【図５】図１のＤ−Ｄ線断面図である。
【符号の説明】
【００２９】
１  筆記具用キャップ
２  擦過部材
２１  貫通孔
３  キャップ本体
３１  取付孔
３２  係止壁部
３２ａ  通気孔
３３  リブ
３３ａ  段部
３４  後端開口部
３５  クリップ
４  ペン先シール部材
【図１】
2006123337.tif 000003
【図２】
2006123337.tif 000004
【図３】
2006123337.tif 000005
【図４】
2006123337.tif 000006
【図５】
2006123337.tif 000007